Podtech/llm-jp-corpus-v4-ja_patent huggingface dataset:
(57)【要約】      （修正有）【課題】カップラーメンを包装してあるラップを簡単に外し、すばやくカップラーメンの蓋を開けることができるシールを提供する。【解決手段】製造段階で包装してあるラップに縦１センチで横２センチの切れ込みを入れる。その上からバーコードを書いたシールを貼る。シールには３センチのうち２センチ５ミリに接着剤を付ける。剥がす時は接着剤が付いていない５ミリのところを捲る。【選択図】なし【実用新案登録請求の範囲】
【請求項１】
すばやくカップラーメンの蓋を開けるためのシール
【考案の詳細な説明】
【技術分野】
【０００１】本考案はカップラーメンを包装してあるラップを簡単に外し、すばやくカップラーメンの蓋を開けることができる物である
【背景技術】
【０００２】包装してあるラップに縦１センチ、横２センチの切れ込みを入れ、その上から３センチのうち２センチ５ミリに接着剤を付けたシールを貼った。剥がす時は接着剤が付いていない５ミリのところを捲ったところ簡単に包装してあるラップが開けられた。
【考案の開示】
【考案が解決しようとする課題】
【０００３】日本の現在の産業技術であれば、製造段階で切れ込みを入れた包装用のラップは製造可能である
【課題を解決するための手段】
【０００４】すばやくカップラーメンの蓋を開けるためのシール
【考案の効果】
【０００５】簡単にカップラーメンの包装ビニールが取ることができ、早く蓋を開けて湯を注ぎ、３分間で出来あがる
【考案を実施するための最良の形態】
【０００６】市販されているカップラーメンを購入し、包装してあるラップに縦１センチ、横２センチの切れ込みを入れ、その上から３センチのうち２センチ５ミリに接着剤を付けたシールを貼った後に、接着剤が付いていない５ミリのところを捲って簡単に包装してあるラップが開けられるかを試してみる。
【実施例】
【０００７】市販されているカップラーメンを購入し、包装してあるラップに縦１センチ、横２センチの切れ込みを入れ、その上から３センチのうち２センチ５ミリに接着剤を付けたシールを貼った後に、接着剤が付いていない５ミリのところを捲って簡単に包装してあるラップが開けられるかを試したところ簡単に、すばやく開封できた。
0003111730.tif 000002
【手続補正書】
【提出日】平成16年11月22日(2004.11.22)
【手続補正１】
【補正対象書類名】実用新案登録請求の範囲
【補正対象項目名】全文
【補正方法】変更
【補正の内容】
【実用新案登録請求の範囲】
【請求項１】
カップラーメンのラップの即開け方、カプラ
【手続補正２】
【補正対象書類名】明細書
【補正対象項目名】全文
【補正方法】変更
【補正の内容】
【考案の詳細な説明】
【技術分野】
【０００１】
本考案はカップラーメンを包装してあるラップを簡単に外し、すばやくカップラーメンの蓋を開けることができる物である
【背景技術】
【０００２】
包装してあるラップに縦１センチ、横２センチの切れ込みを入れ、その上から３センチのうち２センチ５ミリに接着剤を付けたシールを貼った。剥がす時は接着剤が付いていない５ミリのところを捲ったところ簡単に包装してあるラップが開けられた。
【考案の開示】
【考案が解決しようとする課題】
【０００３】
日本の現在の産業技術であれば、製造段階で切れ込みを入れた
包装用のラップは製造可能である
【課題を解決するための手段】
【０００４】
すばやくカップラーメンの蓋を開けるためのシール  
【考案の効果】
【０００５】
簡単にカップラーメンの包装ビニールが取ることができ、早く蓋を開けて湯を注ぎ、３分間で出来あがる
【考案を実施するための最良の形態】
【０００６】
市販されているカップラーメンを購入し、包装してあるラップに縦１センチ、横２センチの切れ込みを入れ、その上から３センチのうち２センチ５ミリに接着剤を付けたシールを貼った後に、接着剤が付いていない５ミリのところを捲って簡単に包装してあるラップが開けられるかを試してみる。
【実施例】
【０００７】
市販されているカップラーメンを購入し、包装してあるラップに縦１センチ、横２センチの切れ込みを入れ、その上から３センチのうち２センチ５ミリに接着剤を付けたシールを貼った後に、接着剤が付いていない５ミリのところを捲って簡単に包装してあるラップが開けられるかを試したところ簡単に、すばやく開封できた。
【図面の簡単な説明】
【０００８】
【図１】蓋を開けるためのシールの本体図面です
【符号の説明】
【０００９】
１    縦１cm  横２cm  の切れ込み線
２    3cm  の包装スペース
３    接着剤が付いていない５mmのラベル
【手続補正３】
【補正対象書類名】図面
【補正対象項目名】全図
【補正方法】変更
【補正の内容】
【図１】
0003111730.tif 000003
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
すばやくカップラーメンのラップを開けやすくするためのシール
(57)【要約】【課題】  ケーブルで、ケーブル心材を覆う樹脂外皮に印字した場合、使用中の摩擦により、印字が剥げ落ちる場合があり、剥げ落ちない印字は困難であり、また、太さの細いケーブルの場合、印字が判読しにくい。【解決手段】  ケーブルの心材と心材を被覆する樹脂外皮の内側にもう一つの被覆材を設け、内側の被覆材に印字し、更に外側を別の被覆材で覆うことにより、使用中に印字が剥げ落ちることはなく、樹脂外皮のレンズ効果により印字が拡大して判読しやすくなり、印字が容易であり、模様を施すこともできる。【選択図】        図１
0003111728.tif 000002
【実用新案登録請求の範囲】
【請求項１】
電気製品及び電子機器接続用ケーブル、あるいは二輪車の防犯用ワイヤー錠等に使用されるケーブルにおいて、ケーブル心材と心材を被覆する樹脂外皮の間にもう一つの被覆材を設け、その内側被覆材に印字し、更に外側を覆う被覆材を設けることにより、使用中に外皮が擦れても印字が剥げ落ちないケーブル。
【請求項２】
請求項１のケーブルにおいて、ケーブル及び内側の被覆材を覆う外側の樹脂外皮が透明または薄色の場合、外皮材のレンズ効果により、内側に施した印字が表面に拡大して浮き出す効果のあるケーブル。
【請求項３】
請求項１のケーブルにおいて、印字以外に模様等を施したケーブル。
【考案の詳細な説明】
【技術分野】
【０００１】  本発明は、使用中に剥げ落ちることのない印字を施し、その印字が外皮表面に拡大して浮き出して見えるケーブルに関する。
【背景技術】
【０００２】  一般に、電気製品及び電子機器接続用ケーブル、あるいは二輪車の盗難防止用ワイヤー錠等に使用されるケーブルは、ワイヤーの被覆材の外皮にメーカー名、製品番号や規格などが印字してあるのが見受けられる。
【考案の開示】
【考案が解決しようとする課題】
【０００３】  ケーブルの心材を被覆する樹脂外皮に印字を施した場合、使用中の摩擦により、印字がはげおちる場合があり、剥げ落ちない印字は困難であり、また、太さの細いケーブルの場合、印字が判読しにくい等の欠点があった。【０００４】  本発明は、印字が使用中に剥げ落ちたりすることがなく、印字を判読し易くし、また模様等の色彩を施すことも可能としたケーブルの提供を目的とする。
【課題を解決する為の手段】
【０００５】  本発明は、ケーブルに印字した文字が剥げ落ちることがなく、印字を判読し易くする方法を検討した結果、ケーブル心材と心材を被覆する樹脂外皮の内側にもう一つの被覆材を設け、内側の被覆材に印字し、更にその外側を別の被覆材で覆う方法を見出した。
【考案の効果】
【０００６】  ケーブルに印字された文字が使用中の摩擦で剥げ落ちることがなく、印字が判読し易くなる。また、模様等を施すことも可能である。
【考案を実施するための最良の形態】
【０００７】  以下に、本発明のワケーブルについて図面を参考にしながら詳細に説明する。【０００８】  ケーブル心材１を被覆する第一の被覆材２に印字し、その上から更に第二の被覆材３を覆い被せる構成とする。【０００９】  第一の被覆材２は、第二の被覆材３で覆われ、保護されることから、厚さは薄いものでもよい。【００１０】  第一の被覆材２は、布または耐性に優れた紙のような材質のものでもよい。【００１１】  第一の被覆材２の替わりに印字をした樹脂などのプレートや耐性に優れた紙のような材質のものを挟み込んでもよい。【００１２】  第一の被覆材に施す印字方法は摩擦耐性のないものでも可能であり、ロゴマークのような多彩な色を使うこともできる。単純なスクリーン印刷のようなものでも印字が剥げることはない。
【図面の簡単な説明】
【図１】本発明のケーブルの構成図である。
【図２】本発明のケーブルの断面図である。
【図３】本発明のケーブルの構成斜視図である。
【符号の説明】
１  ケーブル心材
２  第一の被覆材
３  第二の被覆材
【図１】
0003111728.tif 000003
【図２】
0003111728.tif 000004
【図３】
0003111728.tif 000005
(57)【要約】【課題】  注液過程の任意の時点における注液量を、簡単に、迅速に、且つ正確に知ることができる注液器を提供する。【解決手段】  先端部に注液口２を有するシリンダ３と、該シリンダ３内を摺動自在なプランジャ４と、を備えている注液器１であって、前記シリンダ３には、前記プランジャ４の移動量に対応する注液量を読み取り可能な目盛りが、前記注液口２に近づく方向へ向けて昇順で付されている。前記プランジャ４の押し込み方向への移動を伴う注液過程の任意の時点において、前記プランジャ４のヘッド面４ａに対応する位置の目盛り数値を読むことにより、前記プランジャ４の移動量に対応する注液量を、簡単に、迅速に、且つ正確に知ることができる。【選択図】    図１
0003111717.tif 000002
【実用新案登録請求の範囲】
【請求項１】
先端部に注液口を有するシリンダと、該シリンダ内を摺動自在なプランジャと、を備えている注液器であって、前記シリンダには、前記プランジャの移動量に対応する注液量を読み取り可能な目盛りが、前記注液口に近づく方向へ向けて昇順で付されている、注液器。
【請求項２】
プランジャが摺動自在に嵌挿されるとともに先端部に注液口を有する注液用シリンダであって、前記プランジャの移動量に対応する注液量を読み取り可能な目盛りが、前記注液口に近づく方向へ向けて昇順で付されている、注液用シリンダ。
【考案の詳細な説明】
【技術分野】
【０００１】
本考案は、注射器等の注液器及びそのシリンダに関するものである。
【背景技術】
【０００２】
一般に、注射器は、先端部に注液口を有するシリンダと、該シリンダ内を摺動自在なプランジャと、を備え、前記シリンダには、前記プランジャの位置によって内容量又は液体残量を計測するための目盛りが、前記注液口から遠ざかる方向へ向けて昇順で付されている（特許文献１及び２参照）。
【特許文献１】実開平７−３７１９４号公報（特に、明細書の００２１段落第４〜５行目）
【特許文献１】実開昭６２−１８９７４６号公報（特に、第１図）
【考案の開示】
【考案が解決しようとする課題】
【０００３】
しかしながら、前記従来の構成では、注液過程の或る時点における注液量、すなわち、注液開始後、前記プランジャの或る位置までの移動に対応して前記シリンダから押し出された液の量を求めるには、注液開始時点における前記シリンダ内の液量数値から、前記目盛りで読み取った計測時点での残量数値を差し引き計算する必要があった。この計算は煩雑であるばかりか、計算間違いの可能性もあり、さらに、計算手数だけでなく、注液開始時点における前記シリンダ内の液量数値を予め記録又は記憶する手数も要する等、種々の不都合があった。
【０００４】
本考案は、前記の如き事情に鑑みてなされたもので、注液過程の任意の時点における注液量を、簡単に、迅速に、且つ正確に知ることができる注液器及びそのシリンダを提供しようとするものである。
【課題を解決するための手段】
【０００５】
前記課題を解決するため、本考案に係る注液器は、先端部に注液口を有するシリンダと、該シリンダ内を摺動自在なプランジャと、を備えている注液器であって、前記シリンダには、前記プランジャの移動量に対応する注液量を読み取り可能な目盛りが、前記注液口に近づく方向へ向けて昇順で付されていることを特徴とするものである（請求項１）。
【０００６】
前記注液器においては、前記プランジャを前記シリンダから引き出す方向へと操作して、前記目盛りの起点まで、前記注液口から前記シリンダ内に液体を吸入する。前記目盛りは、前記注液口に近づく方向へ向けて昇順で付されているので、前記プランジャの押し込み方向への移動を伴う注液過程の任意の時点において、前記プランジャのヘッド面に対応する位置の目盛り数値を読むことにより、前記プランジャの移動量に対応する注液量を直接的に知ることができる。よって、注液量の把握を、簡単に、迅速に、且つ正確に行うことができる。
【０００７】
本考案に係る注液用シリンダは、プランジャが摺動自在に嵌挿されるとともに先端部に注液口を有する注液用シリンダであって、前記プランジャの移動量に対応する注液量を読み取り可能な目盛りが、前記注液口に近づく方向へ向けて昇順で付されていることを特徴とするものである（請求項２）。
【考案を実施するための最良の形態】
【０００８】
以下、添付図面を参照して、本考案を実施するための最良の形態について説明する。
【０００９】
図１は、本考案の実施の一形態に係る注液器（注射器）の側面図である。
【００１０】
本実施の形態に係る注液器１は、先端部に注液口２を有する注液用のシリンダ３と、該シリンダ３内に摺動自在に嵌挿されるプランジャ４と、を備えている。従来の周知の注液器と同様に、前記シリンダ３内で前記プランジャ４を軸線方向に沿って摺動操作することにより、前記注液口２から前記シリンダ３内へと薬液等の液体を吸入したり、前記シリンダ３内の液体を前記注液口２から吐出したりすることができる。
【００１１】
前記シリンダ３には、前記プランジャ４の軸線方向の移動量に対応する注液量を読み取り可能な目盛り５が付されている。該目盛り５は、前記シリンダ３に直接刻み付けてあっても良いし、前記シリンダ３の表面に目盛りシールを貼り付けたものであっても良い。
【００１２】
前記目盛り５は、前記注液口２から遠い位置を起点としてゼロから始まり、前記シリンダ３の軸線方向に沿って前記注液口２に近づくにつれて目盛り数値が大きくなるように、前記注液口２に近づく方向へ向けて昇順で付されている。よって、前記注液口２に最も近い位置にある図１の最も左側の最大目盛り数値が、前記シリンダ３の許容最大内容量を示すことになる。
【００１３】
前記注液器１によれば、前記プランジャ４を前記シリンダ３内に一杯まで押し込んだ後、前記注液口２を液中に位置させた状態で前記プランジャ４を前記シリンダ３から引き出す方向Ａへと移動させることにより、前記注液口２から液体を吸入して前記シリンダ３内に充填することができる。液体は、前記目盛り５の起点となるゼロの位置まで充填する。その後、前記プランジャ４を前記シリンダ３内に押し込む方向Ｂへと移動操作することにより、前記シリンダ３内の液体が前記注液口２から押し出される。前記目盛り５は、前記注液口２に近づく方向へ向けて昇順で付されているので、前記プランジャ４の押し込み方向への移動を伴う注液過程の任意の時点において、前記プランジャ４のヘッド面４ａに対応する位置の目盛り数値を読むことによって、前記プランジャ４の移動量に対応する注液量を直接的に知ることができる。よって、注液量の把握を、簡単に、迅速に、且つ正確に行うことができる。
【００１４】
なお、前記シリンダ３と前記プランジャ４の材質や具体的な形状、大きさ等は、それ自体周知の任意の態様のものとすることができ、本考案の要旨に係るものではないので、それらについての詳細な説明は省略する。また、前記注液器１の具体的な使用の態様も、前記注液口２に注射針を直接接続して使用したり、前記注液口２に可撓性チューブを介して注射針を接続したりする等、それ自体周知の様々な態様とすることができる。
【図面の簡単な説明】
【００１５】
【図１】本考案の実施の一形態に係る注液器の側面図である。
【符号の説明】
【００１６】
１    注液器
２    注液口
３  （注液用）シリンダ
４    プランジャ
５    目盛り
【図１】
0003111717.tif 000003
(57)【要約】      （修正有）【課題】ドレスシャツ着用時において首周りの開放をする場合、ネクタイを緩める、とともにネックボタンを外すと２度の手間を要している。これをネクタイを緩めるだけの１度で解決する。【解決手段】ドレスシャツの首周りの開放をする場合、ネックボタンを省略すること及び他のボタン位置を適度に上下方へ移動することで、ネクタイのみを緩めるだけの１度だけですむ様に改良したものである。更に、若干収縮したネックの場合でもネックボタンがないことで、ネクタイの脱着がスムーズである。【選択図】図２−１
0003111751.tif 000002
【実用新案登録請求の範囲】
【請求項１】
ワイシャツと通称されているドレスシャツにおける喉仏付近に設置されている１番上段に取りつけてあるボタン（以降ネックボタンと称す）を省略及びその他のボタン位置を適度に上下方へ移動したドレスシャツ。
【考案の詳細な説明】
【技術分野】
【０００１】  本考案は、ワイシャツと通称するドレスシャツのネックボタンを省略及びその他のボタン位置に関するものである。
［背景技術］【０００２】  従来におけるドレスシャツのネックボタンは図−１の様に着用者の喉仏付近に密着し、且つ着用時間中首周りを締めつけている。
密閉されたドレスシャツ内では湿気を伴う空気の流通性がなく、着用者はシャツ内気候の調整もままならず不快感を免れていない。【０００３】  その不快感を除去するために、着用者はネクタイを緩め更にネックボタンを外す、２度の手間をかけ胸元を開放することで、それに対処している。
特に汗を多量にかく夏期においては、ドレスシャツ内に充満する湿気と生暖かい空気には閉口している。【０００４】  洗濯頻度によってシャツのネックサイズが若干縮小したものを着用している場合、特にネックボタンが強力に首周りに密着して開放行為はスムーズでない。
［考案の開示］
［考案が解決しようとする課題］【０００５】  本考案は、ドレスシャツの形状はこれまでの通りであるが、ネックボタンに触れることなくネクタイを緩めるだけで同時に首周りの開放も行うものである。
前述の不快感解消のために改良し、望まれる涼しいシャツ所謂シャツ内気候の調整に寄与するものである。
上述、ネックサイズが若干収縮したものにおいては、その効果は大である。
［課題を解決するための手段］【０００６】  本考案は、ドレスシャツのネックボタンを省略、他のボタン位置を適度に上下へ移動することで従来品の欠点を補っている。
［考案の効果］【０００７】  本考案は、従来のドレスシャツのネックボタンを省略、他のボタン位置を適度に上下方へ移動することで、ネクタイを緩める手間だけで、首周りと胸元を速やかに開放出来る。
湿気一っぱいな不快な空気を上方への発散させる、とともに外気の誘引も促して不快感を和らげられる。
また、ネックサイズの差異が若干あっても、ネクタイの脱着はスムーズであり外見上の収まりも良い。
メーカーにおいては、ボタンホールとボタン取りつけ作業及びボタン１ケが不要となり製造費の削減に貢献する。
［実施例］【０００８】  以下、本考案の実施例を添付図面で説明する。
図−２と図−２の１は実施例を示し、ネックボタンを省略胸元の開放をしている図。
【図面の簡単な説明】
【０００９】  図面は全てネクタイを着用しない状態での表現でる。
［図１］      現在流通中のドレスシャツを着用中で、やや斜めからの姿である。
［図２］      本考案、ネックボタンを省略し直下のボタン位置を適度に上げたもので折りたたんだ図。
［図２−１］  実施例を示し、ネックボタンを省略、胸元の開放をしている図。
［図３］      現在流通中のもので、折りたたんだ図。
［図３−１］  現在流通中もので、胸元を開放している図。
【符号の説明】
【００１０】胸元開放図（ネクタイを省略、胸元を直視した図）
１・図−２の１のイ
本案実施後・ネックボタンを省略、直下のボタンの位置を適度に上方へ移動したことで、胸元の開放度合いが適度になり外観もスマートである。
２・図−３の１のロ
本案実施前  ネックボタンがあり、直下のボタンも通常位置で胸元開放した場合、胸元の開放度合いが広すぎ外観的にもスマートとはい難い。
【図１】
0003111751.tif 000003
【図２】
0003111751.tif 000004
【図３】
0003111751.tif 000005
【図２−１】
0003111751.tif 000006
【図３−１】
0003111751.tif 000007
(57)【要約】      （修正有）【課題】マナ板等、汚染した部分を移動せず、小さなスペースでも洗浄出来る、簡単で衛生的な洗浄具を提供する。【解決手段】ブラシと排水孔を設置したブラシ台部と、柔軟で弾力性のある材質でできた立設出来る貯水タンクから構成され、ブラシ台部と貯水タンクは脱着可能で密閉接合でき、貯水タンクの上部側面に指で塞ぐ事の出来る給水口を設けた前記貯水タンクは、手で持ち給水口を塞いだ指の圧力で内部の洗浄水を前記ブラシ台の排水孔より押出し、ブラシと洗浄水と共に、即座に汚染部分を洗浄する事が特徴としたポータブル洗浄具。【選択図】図１
0003111755.tif 000002
【実用新案登録請求の範囲】
【請求項１】
ブラシと排水孔を設置したブラシ台部と、柔軟で弾力性のある材質で出来た立設出来る貯水タンクから構成され、ブラシ台部と貯水タンク部は脱着可能で密閉接合でき、貯水タンクの側面には、指で塞ぐ事の出来る給水口を設けた前記貯水タンクは、手で持ち給水口を塞いだ指の圧力で内部の洗浄水を、前記ブラシ台の排水孔より押出し、ブラシと洗浄水と共に、即座に汚染部分を洗浄する事が特徴としたポータブル洗浄具。
【考案の詳細な説明】
【技術分野】
【０００１】  本考案は頭部にブラシと排水孔を設けた貯水タンクの側面に、指で塞ぐ事の出来る給水口を設けたポータブル洗浄具
【背景技術】
【０００２】  特に食材を置いたままのマナ板に付着した血、墨、汁、土等の着色を洗浄する為、マナ板を蛇口まで移動するかホース等を用いて水を放射して汚染部分を洗浄していた。
【考案の開示】
【考案が解決しようとする課題】
【０００３】  そのために、次のような問題があった。
▲イ▼ホース等設置が出来ない所では洗浄の為、マナ板を蛇口まで移動しなければならないし、その手間と時間がかかる。
▲ロ▼蛇口の近くでもマナ板上の、食材が置いてあると、部分洗浄はほとんど不可能である。
▲ハ▼マナ板上に血、墨、汁、土、等の着色を放置しておくと、マナ板は徐々に腐敗し、黒く変色し大変不衛生である。
本考案はこれらの問題を、除くために解決した。
【課題を解決する為の手段】
【０００４】  ブラシと排水孔を設置したブラシ台部と柔軟で、弾力性のある材質で出来た、立設出来る貯水タンクから構成され、ブラシ台部と貯水タンク部は、脱着可能で密閉接合でき、貯水タンクの側面には、指で塞ぐ事の出来る、給水口を設けた前記、貯水タンクは手で持ち、給水口を塞いだ指の圧力で内部の洗浄水を、前記ブラシ台の排水タンクより押出し、ブラシと洗浄水と共に、即座に汚染部分を洗浄する事が特徴のポータブル洗浄具である。
【考案の効果】
【０００５】  本考案によってマナ板上にあるものをそのままの状態で、しかもマナ板を移動する事なく洗浄具を手で持ち、給水口を指で塞ぎかつ力を入れて、貯水タンク内部に圧力をかけ排水孔から出る圧力水と、ブラシを使ってマナ板が汚染されるやいなや汚染部分を、時間をかけず素早く洗浄する事が出来、なおかつ大変衛生的である。
【考案を実施するための最良の形態】
【０００６】  以下本考案を実施形態について説明する。
▲イ▼ブラシ台部（２）にブラシ（４）と排水孔（５）を１個又は複数設ける。
▲ロ▼柔軟で弾力性のある材質の貯水タンク部（１）の側面に、指で塞ぐことの出来る給水口（３）を設ける。貯水タンク（１）は立設出来、立設状態で内部に水を溜めておく事が出来る。
▲ハ▼ブラシ台部（２）と貯水タンク部（１）とはネジ式又はハメ込み式で密閉接合が出来る。
▲ニ▼ブラシ台部（２）と貯水タンク部（１）は切り離して内部を洗浄する事が出来る。
【実施例】
【０００７】  以下添付図面に従って実施例を説明する。まず、給水口（８）より洗浄水を入れ、貯水タンク（１）を手に持って指で給水口を塞ぎ、貯水タンク（１）を傾け、頭部のブラシ台部（２）を汚染部に当て指に圧力を掛け、ブラシ（４）と圧力水で素早く汚染部分を洗浄する。
本考案の使用例としてマナ板の場合を取り入れたが、マナ板に限らず応用出来る所で使用可能である。
なお、図面上において、排水孔（５）を１個として表したが、排水孔（５）を複数にしてもよい。
【図面の簡単な説明】
【０００８】
【図１】本考案の斜視図
【図２】本考案の分解図
【図３】本考案の断面図
【符号の説明】
【０００９】  １  貯水タンク
２  ブラシ台部
３  給水口
４  ブラシ
５  排水孔
【図１】
0003111755.tif 000003
【図２】
0003111755.tif 000004
【図３】
0003111755.tif 000005
(57)【要約】【課題】  ＤＶＣ、ＤＳＣ、ＵＳＢ／ＩＥＥＥ１３９４及びオーディオビデオデータ伝送に使用されるケーブルに適用されるコアの提供。【解決手段】  ケーブルがコアの中心穿孔を貫通し、コア外側に突出しコア外側に繞設されたケーブルが、コア外側の半円弧形切欠き内に嵌め込まれ、ケースで被覆される時に、全体厚さを増さず、これにより体積を縮小し製造コストを下げることができる。【選択図】        図４
0003111450.tif 000002
【実用新案登録請求の範囲】
【請求項１】
ＤＶＣ、ＤＳＣ、ＵＳＢ／ＩＥＥＥ１３９４及びオーディオビデオデータ伝送に使用されるケーブルを通した後に更にケース内に被覆されるコアにおいて、
コアの中心穿孔の外側に半円弧形の切欠きがあり、該切欠きがコア外側に繞設されたケーブルを嵌め込むのに供されて全体の厚さを縮小することを特徴とする、コア。
【請求項２】
請求項１記載のコアにおいて、コアの中心穿孔が楕円形を呈することを特徴とする、コア。
【考案の詳細な説明】
【技術分野】
【０００１】
本考案はＤＶＣ、ＤＳＣ、ＵＳＢ／ＩＥＥＥ１３９４及びオーディオビデオデータ伝送に使用されるケーブルに適用されるコアに係り、特に、ケース体積を縮小でき、製造コストを下げることができるコアの構造に関する。
【背景技術】
【０００２】
一般に伝統的なＤＶＣ、ＤＳＣ、ＵＳＢ／ＩＥＥＥ１３９４及びオーディオビデオデータ伝送に使用されるケーブルは図１に示されるように、ケーブル１００の一端が液晶ディスプレイ２００後端に挿入され、別端が電源端に接続され、ケーブル１００は抵抗能力を増強し電磁波の干渉を隔離するため、図２及び図３に示されるように、コア３００内に通してから更にケース４００で被覆する必要がある。伝統的なコア３００はケーブル１００を通過させるための貫通する円孔３０１を具えてケーブル１００の繞設に供されるが、コア３００の外側に突出するケーブル１０１がケース４００全体の体積を増し、このためケース１００の厚さを縮小できなくなり、このため改善が求められている。
【考案の開示】
【考案が解決しようとする課題】
【０００３】
本考案は従来の製品の欠点を解決したコアを提供するものである。
【０００４】
ゆえに、本考案の主要な目的は、一種のコアを提供することにあり、それは、円筒状のコアの中心穿孔外側に半円弧形の切欠きが凹設され、該切欠きにコア外に突出するケーブルを嵌め込んでコア外周を円筒状とすることができるようにし、ケースでコア外側を被覆する時、厚さを縮減でき、全体体積を減らせるようにし、製造コストを節約できるようにするものとする。
【課題を解決するための手段】
【０００５】
請求項１の考案は、ＤＶＣ、ＤＳＣ、ＵＳＢ／ＩＥＥＥ１３９４及びオーディオビデオデータ伝送に使用されるケーブルを通した後に更にケース内に被覆されるコアにおいて、  コアの中心穿孔の外側に半円弧形の切欠きがあり、該切欠きがコア外側に繞設されたケーブルを嵌め込むのに供されて全体の厚さを縮小することを特徴とする、コアとしている。
請求項２の考案は、請求項１記載のコアにおいて、コアの中心穿孔が楕円形を呈することを特徴とする、コアとしている。
【考案の効果】
【０００６】
本考案のコアは、ケーブルがコアの中心穿孔を貫通し、コア外側に突出しコア外側に繞設されたケーブルが、コア外側の半円弧形切欠き内に嵌め込まれ、ケースで被覆される時に、全体厚さを増さず、これにより体積を縮小し製造コストを下げることができる。
【考案を実施するための最良の形態】
【０００７】
図４から図７に示されるように、本考案はＤＶＣ、ＤＳＣ、ＵＳＢ／ＩＥＥＥ１３９４及びオーディオビデオデータ伝送に使用されるケーブル１に適用され、コア２にケーブル１が繞設され等にコア２がケース３で被覆される。
【０００８】
コア２の中心穿孔２１は楕円形を呈し、中心穿孔２１の外側に半円弧形の切欠き２２が設けられ、ケーブル１がコア２の穿孔を通りさらに繞設される時、ケーブル１のコア２外側に突出するケーブル１１がコア２の切欠き２２内に嵌め込まれ、これによりコア２の厚さが増加せず、ゆえにケース３内に被覆される時に、体積が増加せず、製造コストを節約できる。
【０００９】
総合すると、本考案のコアは、ケーブルが繞設されるコアの外側に設けられた切欠きがケーブルのコア外側に突出する部分の嵌合に供され、ゆえにケースに被覆される時、全体体積が伝統的な製品より小さくなり、これにより製造コストを減らすことができる。ゆえに本考案は実用性を有し、またその出願前に頒布された刊行物にその記載がなくまた公開使用されていないため新規性を有している。
【図面の簡単な説明】
【００１０】
【図１】周知の製品の実施例図である。
【図２】周知の製品の外観図である。
【図３】周知の製品の断面図である。
【図４】本考案のコアの外観図である。
【図５】本考案のコアの平面図である。
【図６】本考案の実施例の断面図である。
【図７】本考案の実施例図である。
【符号の説明】
【００１１】
１、１１  ケーブル      ２  コア      ２１  穿孔
２２  切欠き            ３  ケース    １００、１０１  ケーブル
３００  コア            ３０１  円孔  ４００  ケース
【図１】
0003111450.tif 000003
【図２】
0003111450.tif 000004
【図３】
0003111450.tif 000005
【図４】
0003111450.tif 000006
【図５】
0003111450.tif 000007
【図６】
0003111450.tif 000008
【図７】
0003111450.tif 000009
(57)【要約】【課題】  ワイパ乱流板の構造の改良。【解決手段】  ワイパのフレームの前端に折り曲げ状の片体で乱流板本体が接続され、該乱流板本体とフレームの間の中央及び両側に長孔が形成され、そのうちの両側の長孔に凸片が設けられ、乱流板本体の両端が内向きに所定長さ折り曲げられて僅かに反った翼片が形成され、乱流板本体の表面が傾斜状に折り曲げられ、並びに両側に対称な梭状貫通孔が設けられ、ワイパが擦拭動作する時、風力が貫通孔を通り上向きに排出され、且つ両端の翼片により、風力が外側に向けて拡散せず、下圧力を増し、ワイパの擦拭動作を更に順調とする。【選択図】        図２
0003111476.tif 000002
【実用新案登録請求の範囲】
【請求項１】
ワイパのフレームの前端に折り曲げ状の片体で乱流板本体が接続され、該乱流板本体とフレームの間の中央及び両側に長孔が形成されたワイパ乱流板において、
該乱流板本体の表面が傾斜状に折り曲げられ、並びに表面の両側に対称な梭状貫通孔が設けられ、この貫通孔の周囲に環状の浅溝が設けられ、乱流板本体の両端が内向きに所定長さ折り曲げられて僅かに反った翼片が形成され、ワイパが擦拭動作する時、迎風面の風力が貫通孔周囲の浅溝において乱流作用を形成し、且つ両端の翼片が風力を外向きに拡散させずに内向きの風柱を形成させて下圧力を増し、底部の風力が貫通孔を通り上向きに排出された後に更に下圧して風によるあおりを防止し、ワイパ動作を安定させることを特徴とする、ワイパ乱流板。
【考案の詳細な説明】
【技術分野】
【０００１】
本考案は一種のワイパ乱流板の構造に係り、特に、ワイパ動作を順調とし、且つ雨水の擦拭効果を高めることができるワイパ乱流板の構造に関する。
【背景技術】
【０００２】
一般にワイパは擦拭動作時の風の抵抗を減らすため、通常、図１に示されるように、ワイパ１のフレーム１１の前端に乱流板１２が取り付けられ、ワイパ１が動作する時、乱流板１２が形成する乱流作用により、迎面の風力が下圧の力を形成し、これによりワイパが風にあおられるのを防止し、ガラス面に当接するようにし、雨水除去の効果を増す。この周知のワイパ１は一般のワイパが風にあおられる欠点を改善するが、風力が過大であると、乱流板１２は完全に風によるあおりを防止しにくくなり、改善が求められている。
【考案の開示】
【考案が解決しようとする課題】
【０００３】
本考案の主要な目的は、一種のワイパ乱流板を提供することにあり、それは、ワイパが擦拭動作する時、確実に風によるあおりを防止でき、雨水除去の効果が高められたものとする。
【課題を解決するための手段】
【０００４】
請求項１の考案は、ワイパのフレームの前端に折り曲げ状の片体で乱流板本体が接続され、該乱流板本体とフレームの間の中央及び両側に長孔が形成されたワイパ乱流板において、
該乱流板本体の表面が傾斜状に折り曲げられ、並びに表面の両側に対称な梭状貫通孔が設けられ、この貫通孔の周囲に環状の浅溝が設けられ、乱流板本体の両端が内向きに所定長さ折り曲げられて僅かに反った翼片が形成され、ワイパが擦拭動作する時、迎風面の風力が貫通孔周囲の浅溝において乱流作用を形成し、且つ両端の翼片が風力を外向きに拡散させずに内向きの風柱を形成させて下圧力を増し、底部の風力が貫通孔を通り上向きに排出された後に更に下圧して風によるあおりを防止し、ワイパ動作を安定させることを特徴とする、ワイパ乱流板としている。
【考案の効果】
【０００５】
本考案は一種のワイパ乱流板を提供し、それによると、ワイパのフレームの前端に折り曲げ状の片体で乱流板本体が接続され、該乱流板本体とフレームの間の中央及び両側に長孔が形成され、そのうちの両側の長孔に凸片が設けられ、乱流板本体の両端が内向きに所定長さ折り曲げられて僅かに反った翼片が形成され、乱流板本体の表面が傾斜状に折り曲げられ、並びに両側に対称な梭状貫通孔が設けられ、ワイパが擦拭動作する時、風力が貫通孔を通り上向きに排出され、風によるあおりが防止され、且つ両端の翼片により、風力が外側に向けて拡散せず、内向きの風柱を形成し、下圧力を増し、ワイパをガラス面に接合させて雨水排除の効果を高めることができる。
【考案を実施するための最良の形態】
【０００６】
図２、３に示されるように、本考案はワイパ２のフレーム２１の前端に折り曲げ状の片体２２で乱流板本体３が接続され、該乱流板本体３とフレーム２１の間の中央及び両側に長孔３１、３２が形成され、そのうちの両側の長孔３２に凸片３２１が設けられ、乱流板本体３の両端が内向きに所定長さ折り曲げられて僅かに反った翼片３３が形成されている。
【０００７】
乱流板本体３の表面が傾斜状に折り曲げられ、並びに両側に対称な梭状貫通孔３４が設けられ、貫通孔３４の周囲に環状の浅溝３５が設けられている。
【０００８】
前述の構造の組合せにより、ワイパ２が擦拭動作する時、もともとの雨水除去の作用のほか、迎風状態で以下の効果を有する。
１．迎風の風力が貫通孔３４周囲の浅溝３５により別の乱流作用を形成する。
２．底部の風力が貫通孔３４を通り上向きに排出され、さらに下圧の力を形成し、風力が底部に集中してあおられるのを防止する。
３．乱流板本体３の表面が傾斜状に折り曲げられ、下圧の力を発生する。
４．乱流板本体３の両端の翼片３３により、風力が外側に向けて拡散せず、内向きの風柱を形成し、下圧の力を増す。
【０００９】
これにより、本考案のワイパ２は更にガラス面に密着し、並びに風によるあおりの現象が防止され、雨水除去機能が高められる。
【００１０】
図４、５に示されるように、本考案を使用する時、ワイパ２の迎風面の風力は貫通孔３４の浅溝３５に進入した後、別の乱流作用を形成し、これによりワイパ２の擦拭動作が安定し、ワイパ底部の風力は貫通孔３４を通り上向きに排出された後に下圧力を形成し、周知のワイパが風力の底面への集中により風にあおられる現象を防止し、乱流板本体３が傾斜状に折り曲げられたことにより、排出された風力が更に下圧の力を形成し、ワイパ２をガラス面に密着させ、雨水除去の効果を高める。
【００１１】
総合すると、本考案は折り線、貫通孔及び翼片が設けられた乱流板によりワイパの下圧の力を増し、風にあおられる現象を防止し、且つ雨水除去の効果を高め、実用性と新規性を有している。
【図面の簡単な説明】
【００１２】
【図１】周知のワイパの立体図である。
【図２】本考案のワイパの立体図である。
【図３】本考案の平面図である。
【図４】本考案の使用実施例図である。
【図５】本考案の使用実施例図である。
【符号の説明】
【００１３】
１  ワイパ                ３１  長孔
１１  フレーム            ３２  長孔
１２  乱流板              ３２１  凸片
２  ワイパ                ３３  翼片
２１  フレーム            ３４  貫通孔
２２  片体                ３５  浅溝
３  乱流板本体
【図１】
0003111476.tif 000003
【図２】
0003111476.tif 000004
【図３】
0003111476.tif 000005
【図４】
0003111476.tif 000006
【図５】
0003111476.tif 000007
(57)【要約】【課題】学校用の机に関しては、古くなると天板のみの交換が行われていたが、費用と時間も案外がかかるので価格等の比較をすると新品の机を購入するより若干安い程度であった。又、実際に天板の交換をした場合、天板の重量が重く、送料、工賃も高い割に能率も悪く、この点が欠点とされていた。【解決手段】本考案品は従来の天板と比べ質量は１０分の１以下の軽さで、価格も約半分以下で、天板補修用パネルの両面接着テープ片の配置に通気溝を設けておくことにより、バブル現象を回避し、施工方法も簡単で熟練や、特別の技術も要せず、誰にでも簡単に古い天板の上から張り合わせることにより、仕上がりの美しい天板ができる天板補修用パネル及び補修用キットである。【選択図】    図１
0003111419.tif 000002
【実用新案登録請求の範囲】
【請求項１】
パネルの裏面に、無溶剤タイプの接着剤を含浸した、両面接着テープを、全ての両面接着テープ片を相互に５ミリメートルないし５０ミリメートルの間隔を置き接着し、通気溝を形成した天板補修用パネル。
【請求項２】
請求項１の天板補修用パネルを構成するパネル及び、無溶剤タイプの接着剤を含浸した両面接着テープ片又は両面接着テープ片群からなる、天板補修用パネルキット。
【考案の詳細な説明】
【技術分野】
【０００１】  本考案は、机、テーブル、カウンターの天板補修に用いる天板パネルの裏面に無溶剤タイプの両面接着テープを施したもの。また、天板補修用パネルを構成するパネル及び無溶剤タイプの両面接着テープあるいは、その両面接着テープ片群からなる補修用キット。
【背景技術】
【０００２】  学校の机に関しては，古くなると天板のみの交換が行われるが，費用と時間が案外かかるので価格等の比較をすると新品の机を購入するより若干安い程度である。【０００３】  食堂や、カウンターについては、天板の交換は熟練と、技術を要するた殆ど行わず、新品のものに買い換えることが殆どである。
【考案の開示】
【考案が解決しようとする課題】
【０００４】  学校の机の例をとると従来の天板の概略の質量及び寸法は、厚さ２０ミリメートル、大きさ０．４メートル×０．６メートルで質量は約２キログラム程あり、価格も本考案品の２．５倍ないし３倍位するものでこの交換作業は大工又は家具職人が行っていたが、工賃が高いので現状は経費節減のため、校内の用務員がその仕事をしているのが殆どである。【０００５】  従って慣れない仕事なので作業能率が非常に悪く、もっと早く，簡単に，綺麗に出来ないものかとの指摘も多くありこの点が課題とされていた。
【課題を解決するための手段】
【０００６】  熟練や特別の技術も要せず簡単な作業で、誰でも容易に、古い天板の上から本考案品を貼りあわせることにより、従来の欠点を補うことができる天板補修用パネルである。【０００７】  しかし０．４メートル×０．６メートルの面積の天板補修用パネルを貼り合わせ、実用強度を保持するためには、室内での気温上昇により、接着界面が気泡の膨張でバブル現象が発生する事があるが、これを完全に防止するために図１、図２に例示の、両面接着テープを５ミリないし５０ミリの間隔を設け図３に例示のように接着することにより両面接着テープ内にバブル現象で発生する気泡の空気やガスを通気溝をへて外部に排気することが可能となり，このバブル現象を防止することができることを特徴とする天板補修用パネルである。
【考案の効果】
【０００８】  従来の学校用天板交換に比べると取扱質量が約１０／１以下となるため  大幅な輸送費コストの削減と、位置精度をある程度要するが  作業は素人の教職員や学生，生徒でも簡単に施工できるので作業能率の向上、経費削等を合わせ多大なメリットがある。
【実施例】
【０００９】  古い天板の上に天板補修用パネルを置き配列、位置、を確認して天板補用パネルの裏面に施してある両面接着テープの離型紙を剥がし、古い天板に張り合わせ、中央部から外側に向かって中の気泡を押し出す手操作で、仕上げることができる天板補修用パネルである。
【図面の簡単な説明】
【００１０】
【図１】本考案の天板補修用パネルの背面図である。
【図２】本考案の天板補修パネルのＡ−Ａの断面図である。
【図３】古い天板と天板補修用パネルの接合した側面図
【符号の説明】
【００１１】  １    パネル
２    両面接着テープ
３    両面接着テープの離型紙
４    通気溝
５    古い天板
【図１】
0003111419.tif 000003
【図２】
0003111419.tif 000004
【図３】
0003111419.tif 000005
(57)【要約】      （修正有）【課題】取り付け枠が歪みドアーが開かなくなった時の脱出経路の確保をする。【解決手段】あらかじめドアーに非常用の脱出口を設けることで、地震などの外的圧力によってドアーが開けられない時にも脱出経路を確保することができる。外側からは脱出口の蓋は開けることができなくし、内側からは非常時に簡単に蓋をはずせる構造にする。【選択図】図３
0003111418.tif 000002
【実用新案登録請求の範囲】
【請求項１】
建物の出入り口扉に非常用の脱出口を設けたことを特徴とする扉である。
【考案の詳細な説明】
【背景技術】
【０００１】本考案は、建物が地震等の外的圧力を受けドアー、扉等の取り付け枠が変型し開かなくなり脱出できなくなった時の、脱出口を設けたドアー、扉等に関するものである。【０００２】従来のドアーや扉は取り付け枠によって建築物に取り付けられているが、地震等の外的圧力によって、取り付け枠が歪んだ場合人間の力では開けることは不可能であり脱出することが困難である。【０００３】このために、取り付け枠、ドアーともにスチール製が使用されているマンション等、集合住宅では玄関ドアーからの脱出が困難になる欠陥があった。【０００４】地震等の外的圧力によって建物に歪みが生じた場合、建物の重さをドアーの取り付け枠だけで持ちこたえることは不可能であり、ドアーの取り付け枠が歪んだ場合を想定し、外圧を瞬時に感知し自動的にドアーを開ける方法があったが、コスト面や、地震での停電時にどうするか等の問題があった。【０００５】この問題を解決するためにドアーや扉そのものに、内側からのみ開けることのできる脱出口を設ける方法がある。
【特許文献１】
【特許文献１】
【考案の開示】
【考案が解決しようとする課題】
【０００６】解決しようとする問題点は、地震等の外的圧力によってドアーの取り付け枠が歪みドアー、扉等が開かなくなった場合の非常時における脱出経路をいか確保するかが課題である。
【課題を解決する手段】
【０００７】本考案は、ドアー、扉等にあらかじめ内側からのみ開けることができる脱出口を設け、地震等の外的圧力で取り付け枠が歪みドアー、扉等が開けられない場合でも脱出できることを特徴とする非常用脱出口付きドアー、扉である。
【考案の効果】
【０００８】本考案の非常用脱出口付きドアー、扉は地震等、外的圧力によって取り付け枠が歪みを生じ開けられない状態の非常時に、脱出口を設けたことで脱出経路を確保できる利点がある。
【考案を実施するための最良の形態】
【０００９】ドアー、扉の一部分に人間の脱出できる程度の脱出口を設け、通常は内側からのみ開けられる、または取り外せる蓋で脱出口を塞いで使用し、ドアーの取り付け枠が歪み開けることができなくなった非常時にのみ、内側から脱出口の扉、蓋を開けて脱出することができる脱出口付きドアー、扉を実現した。
【実施例１】
【００１０】図１は一般的なドアーと取り付け枠、図２は外的圧力によって歪みを生じドアーが開かない状態を示し図３、図４は本実案の脱出口を設けたドアーを示したものであるが脱出口蓋の固定方法は問わない。【００１１】図１のドアーと取り付け枠は一般的な構造である。【００１２】図３、脱出口付きドアーを内側から示したもので図４、は脱出口付きドアーの断面図であり、取り付け枠に歪みが生じた場合でも脱出することができる。【００１３】図３は図４は脱出口を設けたドアーの実施例であるが、脱出口蓋の取り付け方法は一例であって脱出口の蓋の取り付け方法を特定したものではない。
【産業上の利用可能性】
【００１４】以上説明したように本実案の脱出口付きドアーは、地震等の非常時に脱出経路を確保するために最適である。
【図面の簡単な説明】
【００１５】
【図１】一般的なドアーと取り付け枠の図
【図２】外的圧力によって取り付け枠が歪み開かないドアーの図
【図３】脱出口を設けたドアーの内側からの図
【図４】脱出口を設けたドアーの断面図
【符号の説明】
【００１６】１、ドアー取り付け枠
２、ドアー
３、脱出口
４、脱出口蓋固定用受け金具
５、脱出口蓋押さえ金具
６、脱出口蓋
【図１】
0003111418.tif 000003
【図２】
0003111418.tif 000004
【図３】
0003111418.tif 000005
【図４】
0003111418.tif 000006
(57)【要約】      （修正有）【課題】乾し物乾燥装置本体に羽状部材又は、伸縮スライドパイプを設置することにより小型化ならびに軽量化する。【解決手段】乾し物乾燥装置本体に羽状部材を両端もしくは複数に設置し、回転支持装置により開閉自在となり、又引き伸ばし押し縮めにより装置の小型化ができ又、軽量化もできることにより、取り扱いが容易になることに役立つ。【選択図】図１
0003111415.tif 000002
【実用新案登録請求の範囲】
【請求項１】
乾し物乾燥装置の乾し物置き台機構に、羽状部材を両端又は複数に設置し、回転支持装置を設けることにより開閉可能になることを特徴とする乾し物乾燥装置の小型化軽量化装置。
【請求項２】
乾し物乾燥装置の乾し物置台の骨格に、引き伸ばし押し縮めできるスライドパイプ機構装置を設置することを特徴とする乾し物乾燥装置の小型化軽量化装置。
【考案の詳細な説明】
【技術分野】
【０００１】本考案は、乾し物乾燥装置の開閉装置又はスライドパイプ機構を設けた乾し物乾燥装置に関するものである。
【背景技術】
【０００２】乾し物により一定の巾又は長さが必要であるため、従来の乾し物乾燥装置では巾又は長さを確保するためには大きめな寸法が必要で装置の部材から見ても重量も重く、又使用後の保管場所も大きなスペースが必要である。
【考案の開示】
【考案が解決しようとする課題】
【０００３】上記の様な乾し物乾燥装置を折畳又は伸縮により、小型化することができる為、乾し物乾燥装置の重量軽減又装置の大きさが縮小でき、使用開始時と使用後の使用動作が容易になる。又小型化によりスペースが狭い所での保管も可能になる。
【課題を解決するための手段】
【０００４】本考案は、乾し物乾燥装置の乾し物置き台に羽状部材を両端に設置し回転支持装置により開いた場合は拡大し、片側のみ開いた場合も拡大する。又スライドパイプにより引き伸ばし、引き縮めにより小型化ができ必要な巾と長さが得られる。又羽状部材はパイプの径も細くでき重量軽減できることにより、問題点を解決している。
【考案の効果】
【０００５】上述の様に、本考案の乾し物乾燥装置の小型化装置は、狭い限られた場所においては、従来の装置では使用できない所でも使用が可能となり、勿論、重量軽減又小型化により収納スペースも小さくてすむことにより役立つ。
【考案の実施するための最良の形態】
【０００６】乾し物乾燥装置本体に羽状のパイプを設置し、回転支持装置により開閉し、乾し物乾燥装置本体と平行迄開き停止装置で止める。又乾し物乾燥装置本体を、太さの異なる、スライドパイプにより、二段三段又は複数段にし、引き伸ばし押し縮めることにより、巾又は長さが自在となる。
【実施例】
【０００７】以下、添付図面に従って一実施例を説明する。図１のＢは乾し物乾燥装置本体よりも径の細いアルミパイプ等適性素材で装置が形成されていて開閉される。開閉時には必要な角度で止まる停止装置が設置されている。【０００８】図２はＡのパイプ内側にＤが入り、Ｄの内側にＥが入ることにより引き伸ばすことにより巾が伸びる。又押し縮めることもできる。
【図面の簡単な説明】
【０００９】
【図１】  本考案の乾し物乾燥装置の一実施例を示す正面図である。
【図２】  本考案の乾し物乾燥装置のスライドパイプによる一実施例を示す正面図である。
【符号の説明】
【００１０】  Ａ乾し物乾燥装置本体
Ｂ羽状パイプ
Ｃ回転支持装置
Ｄスライドパイプ
Ｅスライドパイプ
【図１】
0003111415.tif 000003
【図２】
0003111415.tif 000004
(57)【要約】      （修正有）【課題】ヘルメット装着時で日没の暗くなった時などに、あたりの暗いのを解消する為電池充電式兼用の埋め込み式ソーラーパネルと埋め込み式ライトパネル内臓のヘルメットを提供する。【解決手段】耐久性をクリアしたヘルメット１の上層２にくぼみを作りソーラーパネル３とライトパネル４を入れてソーラー兼用の取り外し可能な充電式電池５をスイッチ６で操作する事で明るさを確保する。ソーラーパネル３は透明硬質プラスチックカバー７で保護する。尚、スイッチ６は埋め込み式とし押すたびにＯＮ、ＯＦＦを繰り返すものし、専用充電器を差し込んでヘルメットに取り付けたまま直接充電できるようにした。【選択図】図１
0003111420.tif 000002
【実用新案登録請求の範囲】
【請求項１】
ソーラー充電式で交流１００Ｖでも充電できる電池を内臓した埋め込みライト付きヘルメット
【考案の詳細な説明】
【技術分野】
【０００１】本発明は日没後のヘルメット装着時における暗さを解決する為に電池充電式兼用のソーラーパネル及びライトパネルをヘルメットに内臓することで明るさを確保できるようにしたものである。
尚、器具と配線類はすべてくぼみを作り埋め込み式とする。
ヘルメットの強度に問題がある場合はチタン板等を組み込む。
【背景技術】
【０００２】従来は、電池充電式兼用のソーラーパネルを内臓したライトパネル内臓の埋め込み一体型ヘルメットはなかった。
【考案の開示】
【考案が解決しようとする課題】
【０００３】日没後、普通のヘルメット装着状態では懐中電灯等の照明器具の携帯が必要という難点があった。本発明は、この課題を解決するためになされたものである。
【課題を解決する為の手段】
【０００４】ヘルメット本体１の上層２にソーラーパネル３とライトパネル４を入れてソーラー兼用の充電式電池５をスイッチ６で操作する事で日没後のヘルメット装着時両手を使える状態で体裁よく手元を明るく照らす事が出来るようになった。
【考案の効果】
【０００５】日没後のあたりの暗い状態でも内臓のソーラーパネル３とライトパネル４によりライトが邪魔にならず手元等が明るい。
以下、本発明の実施の形態について説明する。
（イ）．ヘルメットの上層に充電式のソーラーパネル３とライトパネル４を内臓する
（ロ）．ライトパネル４をスイッチ６によって操作し、充電式電池５は取りはずし可能とし専用充電器によっても充電可能とした。
【実施例１】
【０００６】
【図面の簡単な説明】
【０００７】
【図１】本発明の正面図である。
【図２】本発明の使用状態を示す側面図である。
【符号の説明】
【０００８】１  ヘルメット本体
２  ヘルメット上層部
３  ソーラーパネル
４  ライトパネル
５  充電式電池
６  スイッチ
７  透明硬質プラスチック（保護用）
【図１】
0003111420.tif 000003
【図２】
0003111420.tif 000004